Podtech/llm-jp-corpus-v4-ja_patent huggingface dataset:
(57)【要約】【課題】比較的低価格で容易に入手可能な炭酸ガス発生源である灯油を用い、低運転費で吸血昆虫を効率的に捕獲する装置を実現する。  【解決手段】容易に入手可能な灯油を燃焼させることにより、炭酸ガスを発生させ、この炭酸ガスを比較的長距離の誘引剤として用い、また短距離の誘引方法として灯油バーナーのマントルからの放射熱で加温された筒状着地壁を設け、吸血昆虫の吸血行動習性と重力を組み合わせることにより、効率的に吸血昆虫を捕獲できる捕獲装置を発明し、低運転費で効果的に吸血昆虫の捕獲を可能とした。【選択図】図１
2016015909.tif 000002
【特許請求の範囲】
【請求項１】
灯油タンク上面にマントルを有するバーナーを設置し、バーナー下端にはスペーサーが設置され、このスペーサーを介して閉空間の吸気ダクトが設置され、この吸気ダクトの側面には電動ファンが設置され、この電動ファンには捕虫袋が設置され、この吸気ダクトは、この伝導ファンならびにこの捕虫をは外部と流体的につながっており、この吸気ダクト下面にはバーナー貫通孔および吸気孔が設けられ、これらの孔を囲むように筒状着地壁結合筒が設置され、ダクト上面にはホーンが設置され、ホーンと筒状着地壁との間に空間を有して外部と流体的につながるように構成された筒状着地壁がこの受筒着地壁受筒に挿入され、筒状着地壁上端には屋根、上部には排気孔が設けられた吸血昆虫捕獲装置。
【発明の詳細な説明】
【技術分野】
【０００１】
本発明は、蚊などの吸血昆虫を効果的、かつ安価に捕獲する技術に関するものである。
【背景技術】
【０００２】
ヒトスジシマカ等の吸血昆虫は、炭酸ガスに集まる習性があり、炭酸ガスを発生する装置として、プロパンガスを燃焼する装置、紫外線の光化学反応を用いる装置、ボンベ入り炭酸ガスを使用する装置、灯油を燃焼させる装置等を用いた吸血昆虫捕獲装置が市販されている。
【先行技術文献】
【特許文献】
【０００３】
【特許文献１】US  ６１４５２４３
【特許文献２】特開２０１２−１０５５６３
【非特許文献】
【０００４】
【非特許文献１】荒木  修著  「蚊の科学」  日刊工業新聞社  ２００７年
【発明の概要】
【発明が解決しようとする課題】
【０００５】
特許文献２に示される装置は、灯油を燃焼させ、温められた気体によって蚊の着地壁を加熱し、非特許文献１に記載されているような赤外線を着地壁から放出させる構造である。そして、その構造上、吸血昆虫を吸い込むホーン部に近い着地壁は加熱された気体流の末端に位置するため温度が低くなってしまうという欠点がある。
【課題を解決するための手段】
【０００６】
吸血昆虫の着地壁に着地を促す赤外線を発生させるための方法として、加熱された気体によらず、バーナー上部に取り付けたマントルからの熱放射により着地壁を加熱することにより、吸血昆虫を吸い込むホーン部に近い筒状着地壁の温度を上げ、捕獲率を向上させることを目的とする。  
【発明の効果】
【０００７】
吸血昆虫の捕獲率が向上し、効果的に吸血昆虫の煩わしさから開放されるとともに媒介する伝染病の蔓延を潜在的に防止できる。
【図面の簡単な説明】
【０００８】
【図１】図１は本発明の装置正面図である。（実施例１）
【図２】図２は吸引ダクト部の上面図である。（実施例１）
【図３】図３はバーナー上部の部分拡大斜視図である。（実施例１）
【発明を実施するための形態】
【０００９】
非特許文献１の３７頁、３８頁に記載のように、吸血昆虫は比較的長距離からは炭酸ガスによって誘引され、短距離では動物の体温による赤外線を感知し着地する。そこで、灯油を燃焼させ、発生した炭酸ガスにより吸血昆虫を誘引し、誘引された吸血昆虫の筒状着地壁を設け、この筒状着地壁を灯油燃焼によって加熱されたマントルから放射される赤外線によって加熱することにより着地率を向上させ、ここに着地した吸血昆虫の吸血行動習性と重力を利用して捕獲することにより、特許文献２に示される装置よりも効果的に吸血昆虫を捕獲することができる。
【実施例】
【００１０】
図１は、本発明装置の実施例１の正面図である。灯油タンク５にはバーナー６が設置され、スペーサー４を介して吸引ダクト３が設置されている。吸引ダクト３の側面には電動ファン２及び捕虫網袋１が設置され、これらを介して吸引ダクト３は大気と流体的につながっている。図２に示すように、吸引ダクト３の底面には、バーナー貫通孔１６および吸気孔１５が設置され、それを囲むように筒状着地壁結合筒１２が固定され、また、上面には筒状着地壁結合筒１２よりも径の大きいホーン８が設置されている。筒状着地壁結合筒１２には筒状着地壁９が挿入される。  
そして、ホーン８と筒状着地壁９との径の差により生じた隙間を介して吸引ダクト３は大気と流体的につながっている。また、筒状着地壁９の上端部には屋根１１、上部に排気孔１０が設置されている。
バーナー上部は、図３に示す構造であり、バーナー６の内側には、灯芯１４が挿入されている。  またバーナー上端から下の部分にマントルストッパーリング１８がバーナー６に固定されている。マントル７にはマントル支柱１３が固定されており、この支柱１３の下端はマントル保持筒１７に固定されている。
一体化されたマントル７、マントル支柱１３およびマントル保持筒17はバーナー６の先端から挿入され、マントルストッパーリング１８で保持される。
灯芯１４に点火されると燃焼に必要な空気はスペーサー４によってできた隙間から吸気孔１５を通ってバーナーに供給される。
燃焼によって発生した燃焼ガスは筒状着地壁９に設置された排気孔１０を通って排出される。この燃焼ガスに含まれる炭酸ガスによって吸血昆虫は誘引される。
また、燃焼熱でマントル７が加熱され、この放射熱で筒状着地壁９が加熱され、この筒の外側から赤外線が放射され、炭酸ガスで吸引された吸血昆虫の着地を促す。
炭酸ガスによって誘引された吸血昆虫は、表面温度が上昇した筒状着地壁９の赤外線を感知して着地する。一度着地すると歩いて上下、左右１ｃｍくらい移動する。あるいは１ｃｍくらいジャンプして移動を試みる。このジャンプ時にホーン８と筒状着地壁９との間の空間から吸い込まれる空気の流れでバランスを崩して吸い込まれ、捕虫袋１に捕獲される。  
【産業上の利用可能性】
【００１１】
吸血昆虫は、西ナイル熱、チクングニア熱、デング熱、マラリアなどの疾病を媒介する。
これらの疾病が流行した場合には、対策が重要となり、公衆衛生上重要な対策機器となりうる。
【符号の説明】
【００１２】
１    捕虫袋
２    電動ファン
３    吸引ダクト
４    スペーサー
５    灯油タンク
６    バーナー
７    マントル  
８    ホーン
９    筒状着地壁
１０  排気孔
１１  屋根
１２  筒状着地壁結合筒
１３  マントル支柱
１４  灯芯
１５  吸気孔
１６  バーナー貫通孔
１７  マントル保持筒
１８  マントルストッパーリング
【図１】
2016015909.tif 000003
【図２】
2016015909.tif 000004
【図３】
2016015909.tif 000005
(57)【要約】【課題】犬などの動物が従来の自動給餌装置にかじりついたり、引っ掻いたりする場合に、それらの行動を出来なくして、ストレスを軽減させるために、犬などの動物がジャンプなどをしても届かない高さに吊るした給餌具をタイマー式でロックをはずして落下させる落下式自動給餌装置を提供する。【解決手段】長さを調節できる細工のある一本の紐(１)にタイマー式でロックがはずれる装置(２)を通し、地面と水平に犬などの動物がジャンプしてもとどかない位置に紐の両端(３)と(４)を設置する。動物に当たっても怪我をしないように、ゴム製などの柔らかい素材の給餌具(５)にエサを入れて、タイマー式でロックがはずれる装置(２)に設置する。設定した時間に給餌具が落下し、犬などの動物はストレスを受けることがなく給餌を受けられることを特徴とする。【選択図】なし【特許請求の範囲】
【請求項１】
長さを調節できる細工のある一本の紐(１)にタイマー式でロックがはずれる装置(２)を通し、地面と水平に犬などの動物がジャンプしてもとどかない位置に紐の両端(３)と(４)を設置し、動物に当たっても怪我をしないように、ゴム製などの柔らかい素材の給餌具(５)にエサを入れて、タイマー式でロックがはずれる装置(２)に設置し、設定した時間に給餌具が落下し、犬などの動物は給餌を受けることができることを特徴とした落下式自動給餌装置である。
【発明の詳細な説明】
【技術分野】
【０００１】
この発明は、犬などの動物がジャンプなどをしても届かない高さに吊るした給餌具をタイマー式でロックをはずして落下させる落下式自動給餌装置に関するものである。
【背景技術】
【０００２】
従来、ペット用の給餌装置は置き型のものになっていた。
【先行技術文献】
【特許文献】
【０００３】
【特許文献１】特開２０００−１１６２６６号公報
【特許文献２】特開２００４−６５２２０号公報
【発明の概要】
【発明が解決しようとする課題】
【０００４】
これは、次のような欠点があった。
給餌装置からにおいが漏れていたり、一度給餌を受けた動物は、給餌装置を噛んだり引っ掻いたりすることで、給餌装置を壊してしまったり、大きな音を出し続けたりして、飼い主に負担となるばかりでなく、動物自身がストレスを受けてしまっていた。
本発明は、以上のような欠点をなくすためになされたものである。
【課題を解決するための手段】
【０００５】
長さを調節できる細工のある一本の紐(１)にタイマー式でロックがはずれる装置(２)を通し、地面と水平に犬などの動物がジャンプしてもとどかない位置に紐の両端(３)と(４)を設置する。紐の両端(３)と(４)は輪になっていると、壁などにフックを取り付けた場合、引っかけやすくなる。
動物に当たっても怪我をしないように、ゴム製などの柔らかい素材の給餌具(５)にエサを入れて、タイマー式でロックがはずれる装置(２)に設置する。設定した時間に給餌具が落下し、犬などの動物は給餌を受けることができる。
本発明は、以上の構成よりなる落下式自動給餌装置である。
【発明の効果】
【０００６】
犬などの動物が自動給餌装置を気にしてストレスを受けたり、引っ掻きすぎて、爪などを怪我してしまうことを防ぐ効果がある。
【発明を実施するための形態】
【０００７】
以下、本発明を実施するための形態について説明する。
長さを調節できる細工のある一本の紐(１)にタイマー式でロックがはずれる装置(２)を通し、地面と水平に犬などの動物がジャンプしてもとどかない位置に紐の両端(３)と(４)を設置する。
動物に当たっても怪我をしないように、ゴム製などの柔らかい素材の給餌具(５)にエサを入れて、タイマー式でロックがはずれる装置(２)に設置する。設定した時間に給餌具が落下し、犬などの動物は給餌を受けることができる。
本発明は、以上のような構造である。
本発明を使用するときは、犬などの飼い主は、外出などで給餌の世話が出来ないときに、あらかじめ、紐(１)とタイマー式でロックがはずれる装置(２)が設置されていれば、エサを入れた給餌具(５)を設置し、適当な時間を設定しておけばいい。
【符号の説明】
【０００８】
1  長さを調節できる細工のある一本の紐
２  タイマー式でロックがはずれる装置
３と４  紐の両端
５  ゴム製などの柔らかい素材の給餌具
(57)【要約】      （修正有）【課題】色素増感太陽電池のような光電変換装置に用いられるために適応される、感光性のポルフィリン系染料の提供。【解決手段】ポルフィリン中心、少なくとも１の電子供与体ユニット、少なくとも１の電子授与体ユニット、及び少なくとも１の遮断ユニットを有し、ここで各ユニットは直接ポルフィリン中心に接続され、又はエチニルブリッジを介してポルフィリン中心に接続される、感光性のポルフィリン系染料。【選択図】なし【特許請求の範囲】
【請求項１】
2016015488.tif 000021
2016015488.tif 000022
2016015488.tif 000023
2016015488.tif 000024
2016015488.tif 000025
2016015488.tif 000026
2016015488.tif 000027
2016015488.tif 000028
2016015488.tif 000029
2016015488.tif 000030
2016015488.tif 000031
2016015488.tif 000032
【発明の詳細な説明】
【技術分野】
【０００１】
本願発明は、感光性のポルフィリン系染料に関し、特に、光電変換装置のための感光性のポルフィリン系染料に関する。本願発明は、また、色素増感太陽電池に関する。
【背景技術】
【０００２】
近年、環境保護の意識が増加し、再生可能エネルギーの要求が増えている。様々な再生可能エネルギー源から、太陽エネルギーは化石燃料にとって代わる新たなエネルギー源として期待されており、というもの、枯渇のないクリーンエネルギーを供給するからである。太陽エネルギーは、汚染を生ずることなしに電気エネルギーに変換される。言い換えると、太陽エネルギーは最も有望な再生可能エネルギー源である。
【０００３】
一般に、太陽電池は、太陽エネルギーを電気エネルギーに変換するために使用される。従来の太陽電池は半導体材料より成る。特に、シリコンを用いる太陽電池は、市場の主流である。太陽電池の光電変換効率や対費用効果は徐々に改善される。しかしながら、従来の太陽電池の光電変換効率や対費用効果は未だ充分とは言えない。結果として、多くの学術施設及び製造業者が多くの努力を元の太陽電池の外形を改善することにつぎ込み、また、パフォーマンスを高め製造原価を減らすために新たな太陽電池の外形を探すことにつぎ込んでいる。例えば、色素増感太陽電池（ＤＳＳＣ）は、候補の太陽電池の一つであり、というのも、色素増感太陽電池の製造原価は、従来のシリコンを用いる太陽電池の製造原価の１／１０から１／５と低いためである。さらに、色素増感太陽電池を高圧の真空環境で製造する必要がないため、色素増感太陽電池の製造環境は従来の色素増感太陽電池より厳しくない。
【０００４】
色素増感太陽電池は、化学反応から生じる光電流を生成するための染料を用いた光増感剤の光励起を使うフォト電気化学システムである。一般的に、色素増感太陽電池は、基板、透明導電性フィルム、半導体フィルム、染料、電解質及び対電極を備える。動作原理は以下である。最初に、二酸化チタン又は酸化亜鉛の半導体フィルムが特別な光吸収染料を用いて塗布される。染料が日光に照らされるとき、染料の電子が基底状態から励起状態に励起される。励起電子は、自由電子となるために半導体フィルムの伝導体に挿入される。これらの自由電子は、半導体フィルムに接続された導電ガラス又は導電プラスティック（導電ポリマー）を通して流れ出る。その結果、電流が生成される。電解質は、染料とは別側に配置される。電子を失った染料の分子は、その元の状態に復帰するため、電解質から電子を受ける。それから、染料から流れ出る電子が経路を通り、電解質に接触する白金電極に至る。その結果、電解質はこれらの自由電子を受け取り、完全なループが形成される。色素増感太陽電池では、感光性の染料の塗布方法や構造が、光電変換効率及び色素増感太陽電池の安定性に影響するだろう。さらに、感光性の染料の選択は、色素増感太陽電池のコストに大いに関連し、太陽電池の発展の潜在性にも関連する。
【０００５】
有機の感光性の染料は、その高い吸収率、安易な修正、調節可能な光物理特性によって太陽電池の発展に貢献している。発明者は、ＵＳ出願の2010/0125136 A1において、感光性のポルフィリン系染料を記述した。ポルフィリンは、人工葉緑素と見なされる。葉緑素は、植物で見つけられる緑色素であり、例えば、二酸化炭素と水から酸素と炭水化物を生成する光合成を開始するために植物が光を吸収できるようにする。ポルフィリンは色素増感太陽電池の中で同じような役割を果たし、例えば、可視光や近赤外光のエネルギーを電気エネルギーに変換する。色素増感太陽電池の中でポルフィリン分子を使う利点は、二酸化チタンの利用、日光の幅広い吸収帯域、及び励起電子のより長い寿命に、励起電子の適切なエネルギーレベルを含む。しかしながら、ポルフィリンを使う従来の太陽電池は、充分な利点を得ていない。ポルフィリン分子は容易に集約され光電変換効率に影響することが分かっている。
【０００６】
従って、本願発明に示す貴重な感光性のポルフィリン系染料は、色素増感太陽電池のような光電変換装置のための感光性染料の特性を改善するために発展される。光電変換効率、太陽電池の安定性、合成の簡易性、コスト効果の間のバランスは色素増感太陽電池の商業的競争力を強化する。
【発明の概要】
【０００７】
色素増感太陽電池のような光電変換装置のための感光性のポルフィリン系染料が供される。感光性のポルフィリン系染料は以下の構造式を有する。
2016015488.tif 000002
2016015488.tif 000003
2016015488.tif 000004
2016015488.tif 000005
2016015488.tif 000006
2016015488.tif 000007
2016015488.tif 000008
2016015488.tif 000009
2016015488.tif 000010
2016015488.tif 000011
2016015488.tif 000012
2016015488.tif 000013
2016015488.tif 000014
2016015488.tif 000015
2016015488.tif 000016
2016015488.tif 000017
2016015488.tif 000018
2016015488.tif 000019
2016015488.tif 000020
(57)【要約】【課題】  水銀灯に変わるＬＥＤ高天井用照明器具は出力が大きいためＬＥＤ素子の発熱が高く、この発熱対策としてアルミなどの放熱フィンを取り付けているが、器具の重量が重くなり、電球受口には器具全体の重量が加わり、電球口金と電球受口の接点は開く方向に作用する。このため長時間の使用で接点の接触不良が生じ、ＬＥＤ不点灯や接触不良による発熱で発火の危険性がある。【解決手段】  コネクタでワンタッチ接続できる電球口金とＬＥＤ高天井用照明器具本体に分離し、電球口金は既設の水銀灯反射笠を固定していたソケットホルダー内の電球受口にねじ込み、ＬＥＤ高天井用照明器具本体は水銀灯反射笠を固定していたソケットホルダーに取付、その後電球口金とＬＥＤ高天井用照明器具本体のコネクタを接続するだけで簡単に工事ができるとともに電球受口に重量が加わらないため、電球口金と電球受口の接触不良もなくなり安定した品質を維持できる。【選択図】図１
2016015300.tif 000002
【特許請求の範囲】
【請求項１】
電気的に接続された電球口金とＬＥＤ照明器具を分離し、前記電球口金はソケットホルダーに収納されている電球受口に接続され、かつ前記ＬＥＤ照明器具はソケットホルダーに固定されてなるＬＥＤ高天井用照明器具。
【発明の詳細な説明】
【技術分野】
【０００１】  本発明は、高天井などに使用されるＬＥＤ照明器具の構造に関するものである。
【背景技術】
【０００２】  従来、高天井用照明器具は、水銀灯、メタルハライドランプが使用されていたが、省エネ、長寿命の見地からＬＥＤ照明が使用されるようになってきた。
【発明の開示】
【発明が解決しようとする課題】
【０００３】  ＬＥＤ高天井用照明器具を現在設置されている水銀灯器具などに置き換えるには、水銀灯を接続固定しているソケットホルダーをそのまま使用し、ソケットホルダー内の電球受口に直接電球口金を一体化したＬＥＤ高天井用照明器具を接続している。しかし、水銀灯に変わるＬＥＤ高天井用照明器具は出力が大きいためＬＥＤ素子の発熱が高くなる。この発熱対策としてアルミなどの放熱フィンを取り付けているため、器具の重量が重く、落下防止用としてワイヤーを掛けていたが、電球受口には器具全体の重量が加わるため、電球口金と電球受口の接点は開く方向に作用する。長時間の使用で電球口金と電球受口で接点の接触不良が生じ、ＬＥＤ不点灯や接触不良による発熱で発火の危険性があった。
【課題を解決するための手段】
【０００４】  本発明は以上の点に鑑み、電球口金とＬＥＤ高天井用照明器具を分離し、ＬＥＤ高天井用照明器具を従来の水銀灯器具反射笠を固定しているソケットホルダーに固定し、電球受口に接続された電球口金に重量が加わらないようにしたものである。
【発明の効果】
【０００５】  本発明によれば、電球口金とＬＥＤ高天井用照明器具を分離し、ＬＥＤ高天井用照明器具を既設の水銀灯器具反射笠を固定していたソケットホルダーに取り付けることにより、簡単に工事ができるとともに電球受口に重量が加わらないため、電球口金と電球受口の接触不良もなくなり安定した品質を維持できる。
【発明を実施するための最良の形態】
【０００６】  以下、図面に基づき本発明の実施の形態を説明する。【０００７】  図２は一般の電球口金一体型ＬＥＤ高天井用照明器具のソケットホルダーへの取付図の一実施例、図１は本発明のＬＥＤ高天井用照明器具のソケットホルダーへの取付図の一実施例である。【０００８】  一般の電球口金一体型ＬＥＤ高天井用照明器具は図２に示すように、電球口金２がＬＥＤ高天井用器具本体５の上部先端に取り付けられている。この器具本体５は、従来の水銀灯ソケットホルダー４に内蔵されている電球受口３に電球口金２がねじ込まれて固定される。ＬＥＤ器具本体５は放熱フィンが取り付けられているため重量が重く、２〜３Ｋｇはある。一般の水銀灯の重量は３００ｇ程度であるため、電球受口には従来の水銀灯よりも約１０倍近い重量が加えられる。この結果、電球受口３と電球口金２とは接点が開く方向に作用するため経時的に接触不良が生じ、ＬＥＤ不点灯、接触不良による発熱で発火の危険性がある。【０００９】  図１は本発明の一実施例を示すＬＥＤ高天井用照明器具で、ＬＥＤ高天井用器具本体１と電球口金２が分離し、コネクタ等で電気的に接続されている。この器具本体１は既設のソケットホルダー４とビスなどで固定され、器具本体１と分離された電球口金２は、ソケットホルダー４に内蔵されている電球受口３にねじ込まれて固定される。その後、器具本体１に設けられているコネクタ６１と口金２に設けられているコネクタ６２はワンタッチで接続できるので器具本体１とソケットホルダー４との取付工事は簡単にできる。重量の重い器具本体１はソケットホルダー４に固定されているため、電球受口３には電球口金２と配線のみの重量しか加わらないため重量による接触不良は生ぜず、電球口金一体型ＬＥＤ高天井用照明器具のように接触不良によるＬＥＤ不点灯、発火の危険性はなくなる。
【図面の簡単な説明】
【００１０】
【図１】本発明の一実施例を示すＬＥＤ高天井用照明器具のソケットホルダーへの取付図
【図２】一般の一実施例を示す電球口金一体型ＬＥＤ高天井用照明器具のソケットホルダーへの取付図
【符号の説明】
【００１１】  １・・・ＬＥＤ高天井用器具本体
２・・・電球口金
３・・・電球受口
４・・・ソケットホルダー
５・・・電球口金一体型ＬＥＤ高天井用器具本体
６１・・・ＬＥＤ高天井用器具本体に取り付けられているコネクタ
６２・・・電球口金に取り付けられているコネクタ
【図１】
2016015300.tif 000003
【図２】
2016015300.tif 000004
(57)【要約】      （修正有）【課題】化膿した傷の洗浄法の提供。【解決手段】化膿した傷口にシャワーで圧力を掛け、スプレーで洗浄液を細かい霧状にして洗浄すれば傷の奥深く迄極少量の液体で効果が倍増する。2016040243.tif 000002【選択図】なし【特許請求の範囲】
【請求項１】
洗浄液を噴霧状で傷口に使用する方法。
【発明の詳細な説明】
【発明の詳細なる説明】
本発明は自分自身の体験から考えられた結果で。  一回目の施術は胃袋全的で傷口が化膿し、なかなか治らなく抗生物質の点滴に依り肝臓障害をお越し退院が出来ず、そこで医師の許可を貰ってシャワーで傷口を洗浄した結果二日で退院致しました。  二度目は直腸癌で術後傷口が化膿したので早めに退院し、通院しながらシャワーで洗浄した結果三日で傷がふさがりました。  三度目は又大腸癌で術後切り口が化膿しましたが傷口が狭く奥が深くなかなか洗浄がむずかしく、そこで考えた結果洗浄液をスプレーで粒子の細かく圧力を掛ければ少量の液で傷口の奥くまで洗浄が出来、効果が良いと考え申請する次第であります。
構造を説明しますと、図一、図二、図三、（１）は、消毒器具の本体、図一、図二、図三、（２）は、噴射ノズル、図二、図三、（３）は、洗浄液吸水管、図三、（４）は、洗浄液、図三、（５）は、圧力ガス層で、
使用方法は、図一、図二、図三、‘（２）のノズルの出口を傷口に向け押し下げる事に依り、図三、（５）の圧力ガスの力で、図三（４）の洗浄液が、図三、（３）洗浄液吸水管を通じ、噴射され傷口の洗浄を行う方法です。
【産業上の利用分野】
医師、病院、等怪我、手術後傷の化膿の手当てに良いと思います。
【背景技術】容器に入った洗浄液を化膿した傷口に流して洗浄するだけでした。
【発明が解決しようとする課題】
洗浄液をただ化膿した傷口に流すだけでは傷の奥まで洗浄できないのです。
【課題を解決しようとする手段】
洗浄液を霧状にして細かい粒子で吹き付ける事に依り化膿した傷の奥まで洗浄が可能になり此の方法だとベットの上で治療が可能になります。
【実施例】医師に相談し外出許可を貰い霧吹き器で、ぬるま湯を化膿した傷口え向け洗浄した結果二日で退院が出来ました。
【発明の効果】
噴霧状態で化膿した傷の治療をすれば洗浄液が極少量で傷の奥まで簡単に化膿菌を洗い流す事が出来体内に化膿菌が入らず、抗生物質の使用も少なくてすむと思います。
【図面の簡単な説明】
【図１】正面図
【図２】側面図
【図３】側断面図
【図１】
2016040243.tif 000003
【図２】
2016040243.tif 000004
【図３】
2016040243.tif 000005
(57)【要約】      （修正有）【課題】アウトリガ−を比較的短くすることで軽量化し、積載重量を増加させることができる重機搬送車を提供すること【解決手段】荷台2に自走可能な重機100を積載する重機搬送車1であって、荷台に取り付けられ、下方に伸びることで、重機搬送車1の前方側を地面から離間させるアウトリガ10を備え、アウトリガは荷台2に重機を積載していない状態における重機搬送車1の重心近傍であて、この重心より前方側に配置されている重機搬送車。【選択図】図１
2016040138.tif 000002
【特許請求の範囲】
【請求項１】
荷台に自走可能な重機を積載する重機搬送車であって、荷台に取り付けられ、下方に伸びることで、重機搬送車の前方側を地面から離間させるアウトリガを備え、アウトリガは、荷台に重機を積載していない状態における重機搬送車の重心近傍であて、この重心より前方側に配置されている重機搬送車。
【請求項２】
アウトリガは基端が荷台に回動自在に取り付けられ下端側が下方にのびる本体と、本体より後方において、その基端が荷台に取り付けられ、その先端が本体の中間部分に接続され、先端側が伸縮する支持部と、を備え、支接部の先端側が縮むことで、本体の先端側が,後方に向けて回動する請求項1に記載の重機搬送車。
【発明の詳細な説明】
【技術分野】
【０００１】
重機搬送車に関し、特に荷台に自走可能な重機を積載する重機搬送車に関する。
【背景技術】
【０００２】
従来、重機は重機搬送車の荷台に、自走させて載せる。このような重機搬送車として、間キャビンと荷台の間にアウトリガ−が設けられたセルフロ−ダ車が提案されている（特許文献）。
このような重機搬送車としてのセルフロ−ダ車は、アウトリガ−の脚部を伸長させ、キャビンの前輪を浮上させ、荷台を傾斜させる。そして、この状態で重機を自走させて、荷台に積み込み、積み降ろす。
【先行技術文献】
【特許文献】
【０００３】
【特許文献１】特開2000-001879号公報
【発明の概要】
【発明が解決しようとする課題】
【０００４】
しかしながら特許文献1のセルフロ−ダ車は、比較的前方であるキャビンと荷台の間にアウトリガ−を設けている。
このため、前輪を浮上させるたに、比較的アウトリガ−脚部が長くなり、アウトリガ−の自重が重くなり、結果的に、セルフロ−ダ車の積載重量が小さくなっていた。
【０００５】
本発明はアウトリガ−を比較的短くすることで軽量化し、積載重量を増加させることができる重機搬送車を提供することを目的とする。
【課題を解決するための手段】
【０００６】
第１の発明は、荷台に自走可能な重機を積載する重機搬送車であって、荷台に取り付けられ、下方に伸びることで、重機搬送車の前方側を地面から離間させるアウトリガを備え、アウトリガは、荷台に重機を積載していない状態における重機搬送車の重心近傍であって、この重心より前方側に配置されている重機搬送車。
【０００７】
第２の発明は、アウトリガは基端が荷台に回動自在に取り付けられ下端側が下方にのびる本体と、本体より後方において、その基端が荷台に取り付けられ、その先端が本体の中間部分に接続され、先端側が伸縮する支持部と、を備え、支接部の先端側が縮むことで、本体の先端側が、後方に向けて回動する第１の発明に記載の重機搬送車。
【発明の効果】
【０００８】
本発明によれば、アウトリガ−を比較的短くすることで軽量化し、積載重量を増加させることができる重機搬送車を提供できる。
【図面の簡単な説明】
【０００９】
【図１】本発明の実施形態に係る重機搬送車1の油圧ショベル100を積載した状態の側面図である。
【図２】本発明の実施形態に係る重機搬送車1の油圧ショベル100を積載した状態の側面図である。
【図３】本実施形態に係る重機搬送車1の上面図である。
【図４】本実施形態に係る荷台2を説明する図である。
【図５】本実施形態に係る荷台2アウトリガ10付辺の断面図である。
【００１０】
重機搬送車1は荷台2に自走可能な重機100を積載、荷台2に取り付けられ、下方に伸びることで、重機搬送車1の前方側を地面から離間させるアウトリガ10を備え、アウトリガ10は荷台2に重機を積載していない状態における重機搬送車1の重心近傍であて、この重心より前方側に配置されている。
【００１１】
アウトリガ14は、基端が荷台に回動自在に取り付けられ下端側が下方にのびる本体11と、本体11より後方において、その基端が荷台に取り付けられ、その先端が本体の中間部分に接続され、先端側が伸縮する支持部12と、を備え、支接部12の先端側が縮むことで、本体11の先端側がが、後方に向けて回動する。                                                                  
【００１２】
荷台2は、前後方向に延びるシャシー21と前後方向に延びシャシー２１の上に固定されるサブフレーム14と、右左方向に延び、サブフレーム14の上に固定される根太22と、右左方向に延び、シャシー21の上に固定される右左支持軸13と、根太22の上に固定され、右左方向の側縁において、所定の巾で形成され、前後方向に延びる一対の鉄板23と、根太22の上に固定され、一対の鉄板23の間に配置された金網24と、鉄板23の上に固定された木板25と、を備える。
【００１３】
アウトリガ10の本体11の基端は、右左支持軸13の両端に、回動自在に取り付けられている。                                          
【００１４】
なお、アウトリガ10は、支持部12を設けず，例えばシャシ-21に固定されモータにより、本体11を回動させてもよい。  
【符号の説明】
【００１５】
1重機搬送車
2  荷台
10アウトリガ    
11本体        
12支持部     
13右左支持軸      
14サブフレーム
21シャシー
22根太
23鉄板
24金網  
25木板
100重機                                                                                
【図１】
2016040138.tif 000003
【図２】
2016040138.tif 000004
【図３】
2016040138.tif 000005
【図４】
2016040138.tif 000006
【図５】
2016040138.tif 000007
(57)【要約】      （修正有）【課題】グリルで魚を焼くときにくっつかなくなるのと、魚が焼きあがった後の掃除が簡単で使いやすくなる焼き網。【解決手段】焼き網の素材をステンレスにしたことで錆びにくくなり、ショットブラスト加工を施し表面を凹凸にしたことで魚がくっつきにくく、掃除も簡単になる。【選択図】図３
2016040068.tif 000002
【特許請求の範囲】
【請求項１】
焼き網の素材にショットブラスト加工を施し、焼き網の表面を凹凸にしている。
【発明の詳細な説明】
【技術分野】
【０００１】本発明は、グリルで魚を焼くときに、焼き網に魚がくっつかなくなるように、ショットブラスト加工を施し表面に凹凸をつくるものである。
【背景技術】
【０００２】従来、市販されているグリル焼き網は、表面がピカピカに磨かれていてクロームメッキやフッ素コーティングがされている。
【先行技術文献】
【特許文献】
【０００３】
【特許文献１】
【発明の概要】
【発明が解決しようとする課題】
【０００４】従来、市販されているグリル焼き網は、次のような欠点があった。
（イ）焼き網にはクロームメッキやフッ素コーティングがされている。魚を焼いて焼き網に焼き付いたら洗っているうちに、クロームメッキやフッ素コーティングが剥がれてしまう。剥がれてしまってからは魚が焼けなくなるほどにくっついてしまう。
（ロ）焼き網をピカピカに磨いてクロームメッキをしているので、魚を焼いたら焼き網にくっついてしまう。メーカーは焼く前にグリル焼き網に油を塗ったり、グリル焼き網を数分温めてから焼くことをすすめている。
（ハ）魚を焼く度にこんな作業をするのは面倒で、ストレスも溜まり、魚を自動で焼き上げるオートグリル機能も使えなくなる。面倒な作業を避ける為にグリルを使わずにフライパンで魚を焼く人もいるそうです。
【課題を解決するための手段】
【０００５】今までの焼き網は素材が鉄です。本発明は材質をステンレスにし、焼き網の表面にショットブラスト加工を施し表面を荒らし凹凸をつくるものです。
【発明の効果】
【０００６】（イ）焼き網の素材がステンレスなので使い続けても、錆びにくく剥がれることがない。
（ロ）焼き網にショットブラスト加工を施すことにより、表面に凹凸が出来て油溜まりや空気溜まりが出来て魚がくっつかなくなる。
（ハ）ステンレス製でショットブラスト加工を施された焼き網は、魚がくっつかなくて、剥がれることもないので取り扱いや掃除が簡単です。
【図面の簡単な説明】
【０００７】
【図１】市販品焼き網の全体写真で表面がピカピカである。
【図２】市販品焼き網の拡大写真で表面がピカピカである。
【図３】本発明の焼き網の全体写真で表面に凹凸がある。
【図４】本発明の焼き網の拡大写真で表面に凹凸がある。
【発明を実施するための形態】
【０００８】以下、発明を実施するための形態について説明する。
焼き網にショットブラスト加工を施すことによって、焼き網の表面に凹凸が出来て油溜まりや、空気溜まりが出来て魚を焼いてもくっつかなくなる。魚以外の調理をする時に皿を焼き網に載せる場合にも、特に剥がれを心配することも無い。
【符号の説明】
【０００９】  １焼き網の全体写真で、表面に凹凸がある。
２焼き網の拡大写真で、表面に凹凸がある。
【図１】
2016040068.tif 000003
【図２】
2016040068.tif 000004
【図３】
2016040068.tif 000005
【図４】
2016040068.tif 000006
(57)【要約】【課題】スマートフォンでの撮影は液晶画面に映し出される映像を確認しながら行うが、日中の屋外での撮影時には日差しで画面が白くなり見えにくい。また液晶画面を目元に近づけると画面がぼけてしまうため、通常目元から３０ｃｍ程度離して使用することになり、被写体の構図やピントの確認を行うことが困難であった。【解決手段】スマートフォンを挟み包むクリップ型の装置を設け、その中心に拡大レンズを設置しファインダーとすることで、日差しを遮り被写体の構図やピントの確認を行う。以上の構成よりなるスマートフォン用ビューファインダー。【選択図】図１
2016032286.tif 000002
【特許請求の範囲】
【請求項１】
挟み包むクリップ型の装置を設け、その中心にレンズを設置したビューファインダー。
【発明の詳細な説明】
【技術分野】
【０００１】本発明は、スマートフォンによるカメラ撮影時に、目で被写体の構図を決め、ピントを合わせることに使用するファインダーに関するものである。
【背景技術】
【０００２】スマートフォンでのカメラ撮影時には液晶画面を用いて被写体の構図を確認する。なお、支柱の下端部に下部ボルトを介してクリップを回動自在に取り付け、支柱の上端部に上部ボルトを介してレンズ嵌着枠を回動自在に取り付け、レンズ嵌着枠に拡大レンズを嵌着したことを特徴とする発明が知られている。
【先行技術文献】
【特許文献】
【０００３】
【特許文献１】特開２０１３−７０３５２号公報
【発明の概要】
【発明が解決しようとする課題】
【０００４】スマートフォンでの撮影は液晶画面に映し出される映像を確認しながら行うが、日中の屋外での撮影時には日差しで画面が白くなり見えにくい。また液晶画面を目元に近づけると画面がぼけてしまうため、通常目元から３０ｃｍ程度離して使用することになり、被写体の構図やピントの確認を行うことが困難であった。
【課題を解決するための手段】
【０００５】スマートフォンを挟み包むクリップ型の装置を設け、その中心に拡大レンズを設置しファインダーとすることで、日差しを遮り被写体の構図やピントの確認を行う。
以上の構成よりなるスマートフォン用ビューファインダー。
【発明の効果】
【０００６】日中の屋外での撮影時に日差しを遮断することができる。
目元の近くで被写体を捉えて構図やピントを確認し決定することができる。
【図面の簡単な説明】
【０００７】
【図１】本発明の使用状態を示す斜視図
【図２】本発明の使用状態を左下から示す斜視図
【図３】本発明の挟持部を閉じた状態を示す斜視図
【図４】本発明の使用状態を正面から示す斜視図
【図５】本発明の挟持部を開いた状態を示す右側面図
【図６】本発明の挟持部を開いた状態を示す左側面図
【発明を実施するための形態】
【０００８】  以下、本発明の実施の形熊を説明する。
（イ）押圧部上下（３ａ、３ｂ）とクリップ支軸左（２ａ）に内包されるバネ（１０）付勢により、押圧部上下（３ａ、３ｂ）を押すことで、クリップ支軸左右（２ａ、２ｂ）を中心に挟持部上下（１ａ、１ｂ）が開閉するクリップ型の本体である。
（ロ）挟持部上下（１ａ、１ｂ）の先端には長手方向に平行な溝部上下（４ａ、４ｂ）を設ける。また溝部上下（４ａ、４ｂ）の右側面横方向に貫通している。
（ハ）挟持部上下（１ａ、１ｂ）の左側はフード状になっており、挟持部上（１ａ）が挟持部下（１ｂ）を覆い被さる形状となっている。
（ニ）挟持部上下（１ａ、１ｂ）の右側もフード状になっているが、挟持部が開いた時に隙間が出来る形状となっている。
（ホ）挟持部下（１ｂ）の下部には三脚取付けネジ穴を設ける。
（ヘ）レンズ位置調整リング（７）で前後方向に調整可能なレンズ（６）からなるファインダー部（５）で、ファインダー部（５）はファインダー台（８）と一体になっている。尚、焦点距離の許容範囲が広いルーペレンスを使用する場合は、レンズ位置調整リング（７）は無くても良い。
（ト）ファインダー台（８）は、ファインダー支軸（９）により挟持部上（１ａ）の中央で一体となっている。ファインダー台（８）はファインダー支軸（９）を中心に開動する。
本発明は以上のような構造である。
本発明を使用するときは、押圧部上下（３ａ、３ｂ）を指で押し、クリップ型本体を開き、スマートフォンを溝部上下（４ａ、４ｂ）で固定し挟み包む。スマートフォンはサイズが異なり挟持部上下（１ａ、１ｂ）の開き幅が異なる為、ファインダー台（７）を回転させクリップ本体に内設するよう調整する。挟持部上下（１ａ、１ｂ）左側はフードの役割を持ち、日差しを遮る。ファインダー部（５）に目元を近づけ、スマートフォンの液晶画面を覗き込み、レンズ位置調整リング（７）によりスマートフォン液晶画面に対しての焦点を合わせる。挟持部上下（１ａ、１ｂ）右側の隙間より指で液晶画面をタッチしてスマートフォンの操作を行う。
また三脚が必要な場合は、三脚取付け用ネジ穴（１１）に三脚を取り付ける。
【符号の説明】
【０００９】１ａ  挟持部上、１ｂ  挟持部下、２ａ  クリップ支軸左、２ｂ  クリップ支軸右、
３ａ  押圧部上、３ｂ  押圧部下、４ａ  溝部上、４ｂ  溝部下、５  ファインダー部、６  レンズ、７  レンズ位置調整リング、８  ファインダー台、９  ファインダー支軸、１０  バネ、１１  三脚取付け用ネジ穴
【図１】
2016032286.tif 000003
【図２】
2016032286.tif 000004
【図３】
2016032286.tif 000005
【図４】
2016032286.tif 000006
【図５】
2016032286.tif 000007
【図６】
2016032286.tif 000008
(57)【要約】【課題】部屋の角の隙間に溜まった塵を短時間できれいにする取ることが出来なかった。コンパクトで使いやすいミニ箒を提供する。【解決手段】箒部にベルトと裏面板を取り付け側面に湾曲した撥水ラバー部と直線状の撥水ラバー部をラバー取り付け板に貼り付け、中央部に握り部を設けた取手をジョイントで結合したことを特徴とした使いやすいミニ箒。【選択図】図１
2016032619.tif 000002
【特許請求の範囲】
【請求項１】
箒部の箒先端部がおもて裏出るように裏側に裏面板を設け、ラバー取り付け板を両側に取り付け、左側面に湾曲撥水ラバー板を右側面に平板撥水ラバー板を貼り付け、ベルトと平板撥水ラバー板のラバー取り付け板の上面に取り付け磁石を設け、箒先端部と反対方向にジョイントと中央部が握り部を設けた取手を付けたことを特徴とする使いやすいミニ箒。
【発明の詳細な説明】
【技術分野】
【０００１】  本発明は、家の掃除用品において、コンパクトで手の動きに忠実な手軽に掃き掃除が可能とする使いやすいミニ箒に関するものである。
【背景技術】
【０００２】  従来、モップのように柄の先端に箒を垂直につけた物はある。長い柄を手で持ち箒を塵の或る場所を何回も往復させて掃出し、塵を掻きだしていた。
狭い隙間の塵は、専用の先端の細い管を差し込んで塵を吸い取っていた。
【発明の概要】
【発明が解決しようとする課題】
【０００３】（イ）柄の長い箒を使うことで手の動きにうまく対応できず箒の先が動きをコントロール      することが出来ない。塵を目で確認しながら掃きだすので視点が変わり塵が取りに      くい為で何回も同じところを繰り返し掃出し、時間が掛かった。
（ロ）狭い隙間の塵を取り除く場合、隙間に差し込む途中、長い柄の分だけ邪魔になる。      収縮器の使用でも伸縮させる手間が掛かった。
【課題を解決する手段】
【０００４】  本発明は、先端の狭い厚みの狭まった形状の箒部に裏面板を裏側に、箒先端部が裏表出るように取り付け、その側面に、片一方に湾曲した形状として撥水ラバーを貼り付け、もう一方の側面に直線状の撥水ラバーを貼り付け、先端と反対方向にジョイントと結合、中央部に握り部を設けた取手を結合させる。
【発明の効果】
【０００５】  箒部の先端が狭い隙間に対応して塵が或る隙間に差込み掻きだせる。又取手の握り部を手で回転させ湾曲させた側面を使い塵は湾曲面の中心に渦を巻くように集まり塵を集めて掻きだせる。
水を含んだ場合も撥水ラバーで水を弾くことで箒部は傷まない。
反対側の直線状の撥水ラバーを床などに垂直に立てて使い取り手を回転させると塵を押し流す等に移動できる。
箒部は、２枚のラバー取り付け板に或るベルトと取り付け磁石で取り換えが可能である。
【図面の簡単な説明】
【０００６】
【図１】  本発明の斜視図。
【図２】  本発明の塵の掃出し効率を示す図。
【図３】  本発明の詳細な構造図。
【発明を実施するための形態】
【０００７】  以下、本発明の実施の形態を説明する。
図１は、本発明の全体の構成を示す図である。
箒部（１）の箒先端部（１１）がおもて面や裏面から見て先端部が隠れないように箒部（１）の裏面に裏面板（８）を設け、ラバー取り付け板（２）を両端に設け、コの字型に囲んだ部分に箒部（１）を取り付け、おもて面にベルト（９）と平板撥水ラバー（４）側にあるラバー取り付け板（２）の上面に取付け磁石（１０）を設け、箒部（１）を固定或いは交換できるようにする。
箒部（１）の裏面板（８）に左側面にラバー取り付け板（２）に湾曲撥水ラバー（３）を貼り付け、裏面板（８）の右側面にラバー取り付け板（２）を挟んで平板撥水ラバー（４）を直線状に貼り付け、箒先端部（１１）と反対方向にジョイント（５）を設け、握り部（６）を中央部に設けた取手（７）をジョイント（５）に取り付ける。
以上が本発明の構成である。
次に本発明の使用法を説明する。部屋にある物の隙間を掃除したい場合、隙間部分に箒先端部（１１）を差し込み、取手（７）の握り部（８）を手で水平に塵を掻きだす。
箒部（１）の湾曲した左側面の湾曲撥水ラバー（３）を使い、同じように握り部（６）を回転させ塵を湾曲面の中心部分に集中して塵を掻き集める。
箒部（１）の右側面の平板撥水ラバー（４）の直線部分を床に垂直に立て、取手（７）を床面に対して垂直に回転させる或いはそのまま塵を押し出すように前方向に塵を移動させる。
箒部（１）を交換する場合は、ベルト（９）を外し、新品の箒部（１）を裏面板（８）とラバー取り付け板（２）に囲まれた部分に装着してベルト（９）を取り付け磁石（１０）で固定する。
【符号の説明】
【０００８】１    箒部      ２    ラバー取り付け板    ３  湾曲撥水ラバー
４    平板撥水ラバー    ５    ジョイント    ６    握り部    ７  取手
８    裏面板    ９    ベルト    １０    取り付け磁石    １１  箒先端部
【図１】
2016032619.tif 000003
【図２】
2016032619.tif 000004
【図３】
2016032619.tif 000005
(57)【要約】【課題】乳幼児が口に入れても安全であり、乳幼児の携帯電話・スマートフォンに対する好奇心を満足させることができる携帯電話・スマートフォン型木製玩具を提供する。【解決手段】乳幼児が口に運んでも問題ないとされる自然素材のみを用いて製造する。また、携帯電話・スマートフォンを模した形状を呈する。【選択図】なし【特許請求の範囲】
【請求項１】
携帯電話・スマートフォンを模した木製玩具。
【発明の詳細な説明】
【技術分野】
【０００１】    本発明は、携帯電話・スマートフォンを模した木製玩具に関する。
【背景技術】
【０００２】    乳幼児は、成長するにつれ、周囲にある様々なものに興味を持ち始めていく。特に携帯電話・スマートフォンは、親が普段から手にしていることもあり、乳幼児は大きな興味を示す。このため、乳幼児は、好奇心から携帯電話・スマートフォンを触ったり口に入れたりして遊ぼうとする。このような乳幼児の携帯電話・スマートフォンに対する興味は、親にとって心配な面もあることから、各方面で様々な検討がなされている。
【発明の概要】
【発明が解決しようとする課題】
【０００３】    近年、携帯電話・スマートフォンを模した玩具が製造され、携帯電話・スマートフォン本体を与えずに子供を遊ばせる方法が提供されているが、口に入れても問題ないとされる自然素材でできた玩具がないため、乳幼児が口に運んでしまった場合の危険性が解決できていない。【０００４】    そこで、本発明は、乳幼児が口に入れても安全であり、乳幼児の携帯電話・スマートフォンに対する好奇心を満足させることができる携帯電話・スマートフォン型木製玩具を提供することを目的とする。
【課題を解決するための手段】
【０００５】    本発明に係る玩具は、乳幼児が口に運んでも問題ないとされる自然素材のみを用いて製造する。【０００６】    また、携帯電話・スマートフォンを模した形状を呈する。
【発明の効果】
【０００７】    本発明によれば、乳幼児が口に入れても安全であり、乳幼児の携帯電話・スマートフォンに対する好奇心を満足させることができる。
【産業上の利用可能性】
【０００８】    本発明は、携帯電話・スマートフォンを模した木製玩具を製造する産業で利用される。
(57)【要約】      （修正有）【課題】小顔、しわ取り、リフトアップ、若返り等々の技術は従来からあったが、その効果が長続きしないという問題があった。それをどう解決するかが最大の課題であり、その解決技術を提供する。【解決手段】手間は掛かるが、凸凹した脂肪を細かく一つ一つ平らな面になる様に丁寧に繋げて行き、それら脂肪を最終的に頭頂部の百会に繋ぐように持ってきてロックする。適正な状態に復元された全ての脂肪及び筋肉を各々その位置に形状記憶させる独自技術により長期安定化を図るものである。【選択図】図３
2016032617.tif 000002
【特許請求の範囲】
【請求項１】
小顔、しわ取り、リフトアップ、若返り等を謳う美容技術は巷には数多く存在するが、ＣＨＩＤＯフェイススキンシャル技術はそれら効果は当然有するが、その効果を持続させるということで、他のものとは根本的に異なる美容技術である。最大の特徴は、先ずはカウンセリングにより、どういう顔になりたいかをお客様の希望に合わせて相談しながら、よりベストなデザイニングをすることから始まる。劣化してしまった処を直しながら、顔全体のバランスを見てトータル的に整えて行く。その様な事からこの技術者のことを我々はデザイナーと呼ぶ。オールハンドという安全な方法で改善させながら徐々に理想的な顔に創り上げて行く。デザイニングした状態は形状記憶され、朝晩１分間の簡単なセルフケアでキープ（持続）できる。形状記憶させる方法は、各部分の小さい肉（脂肪）を移動させてその人の顔が持つ本来の美しさを引き出すのだが、弛んだ皮膚や無駄な脂肪の処理方法として、それらを頭頂部の百会という処に集めてロックするという技術である。美容器具やマッサージ、パック等は禁止している。
【発明の詳細な説明】
【技術分野】
【０００１】
【背景技術】
【０００２】小顔、しわ取り、リフトアップ、若返り
【先行技術文献】
【特許文献】
【０００３】
【非特許文献】
【０００４】
【発明の概要】
【発明が解決しようとする課題】
【０００５】類似の技術は一時的な効果しかなく効果が長続きしない。
【課題を解決するための手段】
【０００６】手・指を使って各部位の脂肪層を繋げる様にマッサージし、それらを最終的に頭頂部に集めるようにして固定化する。
【発明の効果】
【０００７】首・顔の脂肪層が正常な位置に固定された後、簡単な自分でのアフターケアで正常な状態が安定的に保たれるようになる。
【図面の簡単な説明】
【０００８】
【図１】指の使用部位
【０００９】
【図２】指の使い方及び脂肪層比較
【００１０】
【図３】細部に於ける指の使い方
【００１１】
【図４】手と指の使用範囲
【００１２】
【図５】目から上の部分の手と指の使い方
【００１３】
【図６】顔の側面及び後頭部に於ける手と指の使い方
【図１】
2016032617.tif 000003
【図２】
2016032617.tif 000004
【図３】
2016032617.tif 000005
【図４】
2016032617.tif 000006
【図５】
2016032617.tif 000007
【図６】
2016032617.tif 000008